(57)【要約】      （修正有）【課題】トイレットペーパーの出し入れが容易で、操作が簡単で且つ送り出されるトイレットペーパーの長さが常に一定で、無駄がなく経済的な電動給紙トイレットペーパーホルダーの提供。【解決手段】本体ケース１と、本体カバー２と、トイレットペーパー９の芯に入れる重り１２と、ネット８を張ったペーパー受け枠４と、カバーロック板７で構成し、紙送り出し機構には、軸にウォームギアを固定した紙送り用のモータと、モータの回転をローラー軸に伝える平歯車と、ローラー軸に固定された回転ローラーと、平歯車と複数の外径を有するプーリーと、ローラー軸に固定された２個の回転ローラーと、ドラムと回転軸が一体成型されたプーリーと、本体ケース１の底部に固定されたマイクロスイッチと、プーリーとプーリーには伸縮自在のベルトが架けられ、ペーパー押さえ板はソレノイドの鉄心に付属するスプリングで本体カバー２の内壁面に圧接されている。【選択図】図１
2011161184.tif 000002
【特許請求の範囲】
【請求項１】
部品取り付け部分が一体成型された本体ケース内部に固定して配設する１個のモータと、回転するローラー軸がペーパーの芯に平行して間隔をおいて２本配置され、モータ回転を伝える片方のローラー軸の両端にトイレットペーパーを載せる一対の回転ローラーと、１個の平歯車と複数の外径を有する１個のプーリーＡが固定されていて、回転自在になっている他方のローラー軸の両端に前記トイレットペーパーを載せる一対の回転ローラーが固定されていて、前記プーリーＡの回転を伸縮自在の１本のベルトを介して伝える複数の外径を有する１個のプーリーＢと、プーリーＢに一体成型されたドラムに接触させて作動させる１個のマイクロスイッチ又はリーフスイッチと、送り出されたトイレットペーパーを本体カバーの内壁面に圧して固定するペーパー押え板と、これを動かす１個のソレノイドとで構成される紙送り出し機構を有する電動給紙トイレットペーパーホルダー。
【請求項２】
前記紙送り出し機構のローラー軸に固定されている複数の外径を有するプーリーＡと、同じく複数の外径を有するプーリーＢの外径に架ける伸縮自在のベルトを架け変えることにより、本体ケースから外に送り出されるトイレットペーパーの長さを容易に変えることができ、且つ送り出されたトイレットペーパーの長さは、使用始めから終わりまで常に一定になる機構を特徴とする請求項１に記載の電動給紙トイレットペーパーホルダー。
【請求項３】
前記紙送り出し機構のペーパー押え板をソレノイドの鉄心に付属するスプリングで本体カバーの内壁面に圧して、本体ケースから外に送り出されたトイレットペーパーを固定し、本体カバー下端のエッジに当てて片手で切断出来る構造を特徴とする請求項１または請求項２に記載の電動給紙トイレットペーパーホルダー。
【発明の詳細な説明】
【技術分野】
【０００１】本発明は電動給紙トイレットペーパーホルダーに関する。
【背景技術】
【０００２】ケース本体の上蓋にモータ、電源、ギヤボックス、２個の回転輪等を配置しロールペーパーの上面に回転輪を当てて紙を送り出し、本体側面に近接センサーを取り付けて手を近づけると作動するトイレットペーパーホルダー（例えば特許文献１参照）や、動力回転ゴム棒とバネ付回転ゴム棒でトイレットペーパーを挟んで回転させながら紙を送り出し、出てきた紙をバネ付ゴム棒同士で挟んで引き下げて紙を切断するトイレットペーパーホルダー（例えば特許文献２参照）や、ロールペーパーの芯の配置方向に沿ってローラーを複数横架し、ローラー同士にベルトを架けてこのベルトで紙を送り出すトイレットペーパーホルダー（例えば特許文献３参照）や、ケース上蓋にモータ、ローラー、電池を配置してトイレットペーパーの端緒を２本のローラーで挟み、ローラーをモータで駆動して紙を送り出すトイレットペーパーホルダー（例えば特許文献４参照）等がある。
【先行技術文献】
【特許文献】
【０００３】
【特許文献１】特開２００５−１８５４５５
【特許文献２】特開２００９−６１２３９
【特許文献３】特開２００９−５０４２４
【特許文献４】特開２００８−６２５２
【発明の概要】
【発明が解決しようとする課題】
【０００４】これ等の電動給紙トイレットペーパーホルダーにおいては、カバーの部分に多くの部品を搭載してトイレットペーパーの出し入れが難しく使い勝手がよくなかった。またモータの始動、停止とスイッチを２度押さなければいけないものや、紙を送り出す間中スイッチを押し続けなければならないものもあり、紙の長さが不定で無駄が多く不経済なトイレットペーパーホルダーであった。【０００５】市販されているトイレットペーパーホルダーは、片手でカバーを押さえて紙を固定し、反対側の手で紙を切断するように使用することが基本で片手操作は難しかった。その為に怪我等で片手が使えない人や手の不自由な人には使い勝手がよくなかった。
【課題を解決するための手段】
【０００６】本発明はこのような課題を克服し、トイレットペーパーの出し入れが容易で、電源スイッチをワンタッチすると電源が入り、一定時間後自動的に電源が切れて、本体ケースから外に送り出されるトイレットペーパーの長さが一定で、無駄がなく経済的な電動給紙トイレットペーパーホルダーを提供する。【０００７】上記目的を達成するために、本発明に係わる電動給紙トイレットペーパーホルダーは、本体ケースと本体カバーと電池と電子回路基板を収納する電池ケースと、本体を側壁に固定する固定板と、トイレットペーパーの芯の空洞に入れる重りと、糸のネットを張った金属製のペーパー受け枠を有し、本体ケース内部には紙送り出し機構を有している。
【発明の効果】
【０００８】本発明によれば維持費が安く経済的で、片手で操作可能な使い勝手の良い電動給紙トイレットペーパーホルダーを提供することが出来る。
【図面の簡単な説明】
【０００９】
【図１】本発明の実施の形態の電動給紙トイレットペーパーホルダーの外観図である。
【図２】同側壁固定板の外観図である。
【図３】同機構部分の立体図である。
【図４】同カバーと電池ケースを開けた時の外観図である。
【図５】同電子回路図である。
【発明を実施するための形態】
【００１０】以下図面に基づき本発明の実施の形態について説明する。
図１は本発明の実施の形態の電動給紙トイレットペーパーホルダーを示している。本体ケース１の裏面に２個のフック１０ａ、１０ｂを設けて側壁に固定する固定板５０と、紙の残量を視認できる透明の窓３が固定して取り付けられている本体カバー２と、トイレットペーパー９の芯の空洞部分に入れる１本の棒状の重り１２と、送り出された紙を受けるネット８を張ったペーパー受け枠４と、電子回路基板（図示せず）と複数個の電池を収納する電池ケース５と、本体カバー２を本体ケース１にロックするカバーロック板７と、本体ケース１の内部に紙送り出し機構を有していて、電池ケース５の側面に取り付ける外部電源供給用のＤＣジャック１１で構成されている。
【００１１】本体ケース１の内部に配設される紙送り出し機構は、本体ケース１の内部に一体成型される取り付け部分に、ウォームギア１０１を軸に固定した紙送り用のモータ１００と、回転をローラー軸１０５ａに伝える平歯車Ａ１０２と、ローラー軸１０５ａに固定された一対の回転ローラー１０４ａ、１０４ｂと平歯車Ｂ１０３と複数の外径を有するプーリーＡ１０６と、ローラー軸１０５ｂに固定された一対の回転ローラー１０４ｃ、１０４ｄと、軸とドラムと一体成型されている複数の外径を有するプーリーＢ１０７と、本体ケース１の底板に固定されたマイクロスイッチ１０８が組み込まれている。プーリーＡ１０６とプーリーＢ１０７には伸縮自在のベルト１０９が架けられている。４個の回転ローラー１０４ａ、１０４ｂ、１０４ｃ、１０４ｄの表面には滑り止めのために細かいローレットが施されている。
【００１２】ペーパー押さえ板２０１は、ローラー軸１０５ａの２ヶ所とソレノイド２００の鉄心にそれぞれ自由に動けるように嵌め込まれていて、ソレノイド２００の鉄心に付属するスプリングで本体カバー２の内壁面に圧接されている。紙を圧する面には滑り止めとして布テープまたは薄いゴム板を貼るのが望ましい。モータを始動させる電源スイッチ６は回路基板（図示せず）上に他の電子部品と共に半田付けされ、外から操作可能で電池ケース５の内部に配設されている。
【００１３】次に作用について説明する。
カバーロック板７と本体ケース１の底板の間には、板バネ（図示せず）又はスプリング効果のあるスポンジ（図示せず）が挟まれていて、カバーロック板７は本体ケース１の底板から少し浮いた状態になっている。本体カバー２を開ける時は、カバーロック板７を手で押し下げて本体カバー２を手前に引いて開ける。本体カバー２を閉める時は、本体ケース１に密着するように押し付けるとカバーロック板７で自動的にロックされる構造になっている。
【００１４】トイレットペーパー９のくっついている部分は引き放し、外形が変形している場合は修正して本体ケース１の外に出るまで下に垂らし、本体カバー２を開けて４個の回転ローラー１０４ａ、１０４ｂ、１０４ｃ、１０４ｄの上に載せ、予め芯の空洞部分に重り１２を入れて重くすることで回転ローラー１０４ａ、１０４ｂのスリップを防止する。本体カバー２を閉めると垂れ下がったトイレットペーパー９は、本体カバー２とペーパー押さえ板２０１で挟んで固定される。
【００１５】電源スイッチ６をワンタッチするとモータ１００とソレノイド２００に電源が供給されて、モータ１００の回転が平歯車Ａ１０２、平歯車Ｂ１０３を介してローラー軸１０５ａに伝えられる。ローラー軸１０５ｂはフリー回転の状態であり、回転ローラー１０４ａ、１０４ｂ、１０４ｃ、１０４ｄの上に載っているトイレットペーパー９が回転するのと同時にソレノイド２００の鉄心が吸引され、ペーパー押さえ板２０１が引かれて本体カバー２との間に隙間ができ、送り出されたトイレットペーパー９は自重で下がりペーパー受けのネット８の上に溜まる。
【００１６】ローラー軸１０５ａに固定されているプーリーＡ１０６の回転は、ベルト１０９を介してプーリーＢ１０７に伝えられ、プーリーＢ１０７に一体成型されたドラムに施されている切り欠け位置が１回転すると、ドラムに接しているマイクロスイッチ１０９が作動してモータ１００とソレノイド２００の電源を切断する。電源が切れるとソレノイド２００の鉄心に付属のスプリングが、トイレットペーパー押さえ板２０１を本体カバー２の内壁面に圧接して、送り出されたトイレットペーパー９を固定する。ペーパー受けのネット８に溜まったトイレットペーパー９は、片手で容易に切断することが出来る。
【００１７】ベルト１０９を架けるプーリーＡ１０６とプーリーＢ１０７の径を変えると、プーリーＢ１０７の回転速度が変わりモータ１００の駆動時間が調節されて、トイレットペーパー９の送り出される長さを変えることが出来る。
【００１８】図５の回路図に於いて、電源スイッチ６（Ｓ１）が押されると電解コンデンサ（Ｃ）がチャージされ、同時に（Ｑ１）、（Ｑ２）、が導通してモータ１００（Ｍ）が回転しソレノイド２００（Ｌ）の鉄心が吸引される。プーリーＢ１０７が回転してマイクロスイッチ１０８（Ｓ２）が閉じるまでの間中、（Ｑ１）、（Ｑ２）が導通するように電解コンデンサ（Ｃ）と抵抗（Ｒ１）の時定数が設定されている。一定時間後（Ｑ１）、（Ｑ２）、がオフになってもプーリーＢ１０７が回転し続けてマイクロスイッチ１０８（Ｓ２）が閉じられた状態を維持し、プーリーＢ１０７が１回転してマイクロスイッチ１０８（Ｓ２）が開かれるとモータ１００（Ｍ）とソレノイド２００（Ｌ）の電源が切られて動作が停止する。モータ１００（Ｍ）とソレノイド２００（Ｌ）及び電子回路を駆動する電源は、電池ケース５の内部にある複数個の電池またはＤＣジャック１１に接続される外部のＡＣ電源アダプタから供給される。
【符号の説明】
【００１９】      １  本体ケース                        １０１  ウォームギア
２  本体カバー                        １０２  平歯車Ａ
３  窓                                １０３  平歯車Ｂ
４  ペーパー受け枠                    １０４  回転ローラー
５  電池ケース                        １０５  ローラー軸
６  電源スイッチ                      １０６  プーリーＡ
７  カバーロック板                    １０７  プーリーＢ
８  ネット                            １０８  マイクロスイッチ
９  トイレットペーパー                １０９  ベルト
１０  フック                            ２００  ソレノイド
１１  ＤＣジャック                      ２０１  ペーパー押え板
１２  重り
５０  固定板
１００  モータ
【図１】
2011161184.tif 000003
【図２】
2011161184.tif 000004
【図３】
2011161184.tif 000005
【図４】
2011161184.tif 000006
【図５】
2011161184.tif 000007
【手続補正書】
【提出日】平成22年6月7日(2010.6.7)
【手続補正１】
【補正対象書類名】特許請求の範囲
【補正対象項目名】請求項１
【補正方法】変更
【補正の内容】
【請求項１】
部品取り付け部分が一体成型された本体ケース内部に固定して配設する１個のモータと、回転するローラー軸がペーパーの芯に平行して間隔をおいて２本配置され、モータ回転を伝える片方のローラー軸の両端にトイレットペーパーを載せる一対の回転ローラーが固定されているとともに、１個の平歯車と１個のプーリーＡが固定されていて、回転自在になっている他方のローラー軸の両端に前記トイレットペーパーを載せる一対の回転ローラーが固定されていて、前記プーリーＡの回転を伸縮自在の１本のベルトを介して伝える１個のプーリーＢと、プーリーＢに一体成型されたドラムに接触させて作動させる１個のマイクロスイッチと、送り出されたトイレットペーパーを本体カバーの内壁面に圧して固定するペーパー押え板と、これを動かす１個のソレノイドとで構成される紙送り出し機構を有する電動給紙トイレットペーパーホルダー。
【手続補正２】
【補正対象書類名】特許請求の範囲
【補正対象項目名】請求項２
【補正方法】変更
【補正の内容】
【請求項２】
前記紙送り出し機構のローラー軸に固定されているプーリーＡと、同じくプーリーＢの外径を変え、プーリーＡとプーリーＢとに架ける伸縮自在のベルトを架け変えることにより、本体ケースから外に送り出されるトイレットペーパーの長さを容易に変えることができ、且つ送り出されたトイレットペーパーの長さは、使用始めから終わりまで常に一定になる機構を特徴とする請求項１に記載の電動給紙トイレットペーパーホルダー。
【手続補正３】
【補正対象書類名】明細書
【補正対象項目名】００１１
【補正方法】変更
【補正の内容】
【００１１】本体ケース１の内部に配設される紙送り出し機構は、本体ケース１の内部に一体成型される取り付け部分に、ウォームギア１０１を軸に固定した紙送り用のモータ１００と、回転をローラー軸１０５ａに伝える平歯車Ａ１０２と、ローラー軸１０５ａに固定された一対の回転ローラー１０４ａ、１０４ｂと平歯車Ｂ１０３と、直径の異なるプーリーを複数個一体成型したプーリーＡ１０６と、ローラー軸１０５ｂに固定された一対の回転ローラー１０４ｃ、１０４ｄと、軸とドラムとさらに直径の異なるプーリーを複数個一体成型されているプーリーＢ１０７と、本体ケース１の底板に固定されたマイクロスイッチ１０８が組み込まれている。プーリーＡ１０６とプーリーＢ１０７には伸縮自在のベルト１０９が架けられている。４個の回転ローラー１０４ａ、１０４ｂ、１０４ｃ、１０４ｄの表面には滑り止めのために細かいローレットが施されている。
【手続補正書】
【提出日】平成22年8月27日(2010.8.27)
【手続補正１】
【補正対象書類名】特許請求の範囲
【補正対象項目名】請求項１
【補正方法】変更
【補正の内容】
【請求項１】
部品取り付け部分が一体成型された本体ケース内部に固定して配設する１個のモータと、回転するローラー軸がペーパーの芯に平行して間隔をおいて２本配置され、モータ回転を伝える片方のローラー軸の両端にトイレットペーパーを載せる一対の回転ローラーが固定されているとともに、１個の平歯車と複数の外径を有する１個のプーリーＡが固定されていて、回転自在になっている他方のローラー軸の両端に前記トイレットペーパーを載せる一対の回転ローラーが固定されていて、前記プーリーＡの回転を伸縮自在の１本のベルトを介して伝える複数の外径を有する１個のプーリーＢと、プーリーＢに一体成型されたドラムに接触させて作動させる１個のマイクロスイッチと、送り出されたトイレットペーパーを本体カバーの内壁面に圧して固定するペーパー押え板と、これを動かす１個のソレノイドとで構成される紙送り出し機構を有する電動給紙トイレットペーパーホルダー。
【手続補正２】
【補正対象書類名】特許請求の範囲
【補正対象項目名】請求項２
【補正方法】変更
【補正の内容】
【請求項２】
前記紙送り出し機構のローラー軸に固定されている複数の外径を有するプーリーＡと、同じく複数の外径を有するプーリーＢの外径に架ける伸縮自在のベルトを架け変えることにより、本体ケースから外に送り出されるトイレットペーパーの長さを容易に変えることができ、且つ送り出されたトイレットペーパーの長さは、使用始めから終わりまで常に一定になる機構を特徴とする請求項１に記載の電動給紙トイレットペーパーホルダー。
【手続補正３】
【補正対象書類名】明細書
【補正対象項目名】００１１
【補正方法】変更
【補正の内容】
【００１１】本体ケース１の内部に配設される紙送り出し機構は、本体ケース１の内部に一体成型される取り付け部分に、ウォームギア１０１を軸に固定した紙送り用のモータ１００と、回転をローラー軸１０５ａに伝える平歯車Ａ１０２と、ローラー軸１０５ａに固定された一対の回転ローラー１０４ａ、１０４ｂと平歯車Ｂ１０３と、複数の外径を有するプーリーＡ１０６と、ローラー軸１０５ｂに固定された一対の回転ローラー１０４ｃ、１０４ｄと、軸とドラムと一体成型されている複数の外径を有するプーリーＢ１０７と、本体ケース１の底板に固定されたマイクロスイッチ１０８が組み込まれている。プーリーＡ１０６とプーリーＢ１０７には伸縮自在のベルト１０９が架けられている。４個の回転ローラー１０４ａ、１０４ｂ、１０４ｃ、１０４ｄの表面には滑り止めのために細かいローレットが施されている。